(57)【要約】【課題】  長寿命化に寄与すると共に、製造を迅速かつ容易に行う。【解決手段】  ランプ本体１と接続されかつこれを支持する絶縁性片口金２内に粉末状の無機絶縁性部材３を詰め込み、ランプ本体の外管６内に配置してある発光管７内の電極８，９にこの発光管を支持している第１及び第２の導電性金属線１２，１３が電気的に接続し、第１及び第２の導電性金属線の下端部側の導電線１６，１７が外管６の固定端部６ａから突出し、絶縁性片口金２の外底面の端子ピン１８，１９に挿入されており、導電線１６，１７の端部であって、外管の固定端部６ａと絶縁性片口金２の内底面との間に露出されている露出部分１６ａ，１７ａの対向間は無機絶縁性部材３によって絶縁状態に封止され、絶縁性部材の上面は無機被覆材５によって覆われている。【選択図】        図１
2009117187.tif 000002
【特許請求の範囲】
【請求項１】
端部に突出している２本の端子ピンを備えている絶縁性片口金型メタルハライドランプにおいて、
ランプ本体と、このランプ本体と接続されかつこれを支持し一端が開口部となっている箱型の絶縁性片口金と、この絶縁性片口金内に詰め込まれている粉末状の無機絶縁性部材と、上記ランプ本体を固定するための固定用無機接着剤と、上記絶縁性片口金の開口部を被覆する無機被覆材とを具備しており、
上記ランプ本体は、外管と、この外管内に設けてあって、内部が対向する電極を有しているセラミック放電室である発光管と、この発光管に電気的に接続している第１及び第２の導電性金属線とを有しており、
上記絶縁性片口金は、開口部が一端部側である上記ランプ本体側に配置され、他端部側の外底面から２本の端子ピンを突出してあり、
上記第１及び第２の導電性金属線の接続端子部は上記外管の固定端部に固定されていると共に、上記接続端子部の端部が上記固定端部から突出されかつ上記端子ピンに挿入されており、
上記無機絶縁性部材は、上記絶縁性片口金内に開けられているすべての空間に密に詰め込まれていると共に、上記第１及び第２の導電性金属線の各接続端子部の端部であって、上記外管の固定端部と絶縁性片口金の内底面との間に露出されている両露出部分を互いに絶縁状態に封止しており、
上記固定用無機接着剤は、絶縁性片口金の対向する内壁と外管の固定端部との間の隙間であって互いに対向する箇所に充填されており、
上記無機被覆材は、上記絶縁性片口金の開口部側に面している無機絶縁性部材の端面を密閉している
ことを特徴とするメタルハライドランプ。
【請求項２】
無機絶縁性部材はアルミナ粉末であることを特徴とする請求項１記載のメタルハライドランプ。
【請求項３】
ランプ本体は、ソケットに端子ピンを介して接続されており、絶縁性片口金の両側壁に係止凹部を対向して形成し、各係止凹部が固定端部側に向けて互いに凸状に屈曲されていると共に、上記ソケットのフックにそれぞれ掛け止め可能であり、上記ソケットの引き出し線を通じて瞬時点灯用の回路が組み込まれている電子安定器に接続されていることを特徴とする請求項１又は請求項２記載のメタルハライドランプ。
【発明の詳細な説明】
【技術分野】
【０００１】
この発明は、店舗や室外装飾などの照明に用いられる発光管を有しているメタルハライドランプに関するものである。
【背景技術】
【０００２】
セラミック製の発光管を有しているメタルハライドランプは、これまでの石英管を使用したハライドランプと比較してコンパクトでハイパワーを得ることができると共に、長寿命を確保できることから、店舗や施設照明用として広く利用されている。
しかしながら、メタルハライドランプは始動や再始動時間が長くなり、イグナイターを使用しても瞬時点灯に課題がある。
この課題を解決する技術として車両の前照灯、例えば実開昭６２−６７４４６号公報に開示されている光源装置を転用することが考えられる。
この光源装置は、一端を封止した外管内に発光管及びセラミックで被覆した予熱ヒーターを収容し、上記外管の封止部を含む一端部側を筒状の口金内に挿入し、上記封止部から導き出された発光管のリード線及び上記予熱ヒーターのリード線と、電力供給用導線との各接続部が上記口金の内部に充填されているシリコンゴムのような有機接着剤中に埋設固着されているものである。
光源装置によると、電極間に電源電圧に約１５〜３０ｋＶのパルス電圧を印加すると、瞬時点灯させることができることも開示されている。
【特許文献１】実開昭６２−６７４４６号公報
【発明の開示】
【発明が解決しようとする課題】
【０００３】
前述した光源装置によると、電源電圧に約１５〜３０ｋＶより一層高いパルス電圧を印加した場合、発光管から高熱が発生して、この高熱がリーク防止のための有機接着剤に悪影響を及ぼし、経時的にシリコンゴムのような有機接着剤を劣化させることになるので、瞬時点灯機能を損なう課題があり、長寿命化を図るには改善の余地がある。発光管から発生する高熱の影響によって有機接着剤がシリコンゴムであれば劣化が早まり、出願人の予想では製品寿命が、少なくとも半年又はそれ以下であることが推察される。また上記光源装置によると、上記有機接着剤は製造過程では、口金の内部に充填されるものであるが、筒状の口金内に充填しかつ密に充填するために、そして乾燥作業を終えるまでに手間と時間がかかる課題があり、乾燥加熱の影響を有機接着剤が受けて絶縁性機能が損なわれる可能性がある。
この発明の目的は、長寿命化に寄与すると共に、製造が迅速かつ容易に行えるメタルハライドランプを提供することにある。
【課題を解決するための手段】
【０００４】
この発明の第１の特徴は、端部に突出している２本の端子ピンを備えている絶縁性片口金型メタルハライドランプにおいて、ランプ本体と、このランプ本体と接続されかつこれを支持し一端が開口部となっている箱型の絶縁性片口金と、この絶縁性片口金内に詰め込まれている粉末状の無機絶縁性部材と、上記ランプ本体を固定するための固定用無機接着剤と、上記絶縁性片口金の開口部を被覆する無機被覆材とを具備しているところにある。  上記ランプ本体は、外管と、この外管内に設けてあって、内部が対向する電極を有しているセラミック放電室である発光管と、この発光管に電気的に接続している第１及び第２の導電性金属線とを有している。上記絶縁性片口金は、開口部が一端部側である上記ランプ本体側に配置され、他端部側の外底面から２本の端子ピンを突出している。上記第１及び第２の導電性金属線の接続端子部は上記外管の固定端部に固定されていると共に、上記接続端子部の端部が上記固定端部から突出されかつ上記端子ピンに挿入されている。上記無機絶縁性部材は、上記絶縁性片口金内に開けられているすべての空間に密に詰め込まれていると共に、上記第１及び第２の導電性金属線の各接続端子部の端部であって、上記外管の固定端部と絶縁性片口金の内底面との間に露出されている両露出部分を互いに絶縁状態に封止している。上記固定用無機接着剤は、絶縁性片口金の対向する内壁と外管の固定端部との間の隙間であって互いに対向する箇所に充填されている。上記無機被覆材は、上記絶縁性片口金の開口部側に面している無機絶縁性部材の端面を密閉している。
この発明の第２の特徴は、上記第１の特徴を前提として、無機絶縁性部材がアルミナ粉末であることにある。
この発明の第３の特徴は、上記第１の特徴又は第２の特徴を前提として、ランプ本体がソケットに端子ピンを介して接続されており、絶縁性片口金の両側壁に係止凹部を対向して形成し、各係止凹部が固定端部側に向けて互いに凸状に屈曲されていると共に、上記ソケットのフックにそれぞれ掛け止め可能であり、上記ソケットの引き出し線を通じて瞬時点灯用の回路が組み込まれている電子安定器に接続されていることにある。
【発明の効果】
【０００５】
この発明によれば、リーク防止のための絶縁性部材として粉末状の無機絶縁性部材を用いているので、長寿命化に寄与すると共に、製造が迅速かつ容易に行える瞬間点灯に対応することができるメタルハライドランプを提供することができる。
【発明を実施するための最良の形態】
【０００６】
この発明に係るメタルハライドランプについて図面を参照して説明する。
メタルハライドランプＬは、消費電力が２ｋＷ以下（この例では２０Ｗ）であって、端部に２本の端子ピンを備えている絶縁性片口金型であり、ランプ本体１と、このランプ本体に接続されている絶縁性片口金２と、この絶縁性片口金内に詰め込まれている粉末状の無機絶縁性部材３と、ランプ本体を固定するための固定用無機接着剤４と、絶縁性片口金の開口部を被覆する無機被覆材５とを備えている。
【０００７】
図１に示すランプ本体１において、外管６内には本体がセラミック製である発光管７を設けてある。発光管７はその内部が発光物質である金属ハロゲン化物質が封入されているセラミック放電室となっており、室内上下に対向して電極８，９を設けてある。一方（図１下方）の電極８は第１の導電体１０の上端部に設けられており、他方の電極９は第２の導電体１１の下端部に設けられている。一方の第１の導電体１０は、ステンレスワイヤなどからなる第１の導電性金属線１２の上端部に接続され、他方の第２の導電体１１は、ステンレスワイヤなどからなる第２の導電性金属線１３の上端部に接続されており、第１及び第２の導電性金属線が発光管７の支持手段を構成している。第１の導電性金属線１２は第１の導電体１０の下方に配置されている。また図１に示すように、第２の導電性金属線１３は第１の導電性金属線１２より長く形成されていると共に、その本体は発光管７の側方に第１及び第２の導電体１０，１１に沿って配置されている。図１に示すように外管６内に位置している第２の導電性金属線１３の下端部であって第１の導電性金属線１２に対向する部分は、ガラスパイプなどからなる絶縁性管２０によって被覆されている。第１及び第２の導電性金属線１２，１３の下端部は外管６の固定端部６ａ内に挿入されて固定されている。第１及び第２の導電性金属線１２，１３の下端側は外管６の固定端部６ａ内に配置されている導電板１４，１５と、第１及び第２の導電性金属線と同じ材質の導電線１６，１７とを設けてある。導電板１４，１５と導電線１６，１７とは第１及び第２の導電性金属線１２，１３の一部として接続端子部を構成している。導電線１６，１７の下端部側は外管６の固定端部６ａの下端面から下方に突出されて絶縁性片口金２内に延びている。
【０００８】
絶縁性片口金２はセラミックなどのような絶縁部材によって形成されている箱型であって、ランプ本体１側（図１上側）の一端部が開口され、他端側の外底面から２本の端子ピン１８，１９が突出されている。絶縁性片口金２は図２上下両側の側壁の中央部に係止凹部２ａを形成すると共に、各係止凹部２ａの真下に切欠き掛け止め２ｂ（図５）を設けてある。絶縁性片口金２は図５に示すソケット２１に嵌め込み可能である。嵌め込み時には、端子ピン１８，１９をソケット２１に設けてあるピン挿入孔（図示せず。）に差し入れて、ソケットに取り付けてある対のフック２２の掛止め部２２ａを絶縁性片口金２の係止凹部２ａに係合させ、双方のフックで絶縁性片口金２を挟むことによって、この絶縁性片口金がソケットから離脱することを抑制している。
ソケット２１からは端子ピン１８，１９に電気的に接続可能である引き出し線２３，２４が引き出されている。両引き出し線２３，２４は瞬間点灯用の回路が組み込まれている電子安定器であるインバータ２５に接続されている。
【０００９】
粉末状の無機絶縁性部材３はアルミナ粉末などの絶縁材からなり、図１〜図４に示すように、絶縁性片口金２内に密の状態で詰め込まれ、ランプ本体１の支持の補強も行っている。そして導電線１６，１７の下端部であって、外管６の固定端部６ａの下面から絶縁性片口金２の内底面に達する露出部分１６ａ，１７ａの対向間の空間は、無機絶縁性部材３によって満たされ、露出部分同士は互いに絶縁状態にシールされている。
【００１０】
固定用無機接着剤４は絶縁性の無機質の接着部材が用いられている。固定用無機接着剤４は、図３に示すように、絶縁性片口金２の対向する内壁２ｃと外管６の固定端部６ａとの間の隙間であって互いに対向する箇所に充填されている。このため、ランプ本体１の起立状態は固定用無機接着剤４によって固定される。
【００１１】
無機被覆材５は、図１及び図４に示すように絶縁性片口金２の開口部を覆っている絶縁性部材であり、この開口部側に面している無機絶縁性部材３の上端面を下方に押さえた状態で密閉している。無機被覆材５は、図２鎖線及び図５実線に示すように絶縁性片口金２の開口部を越えて絶縁性片口金の上端面の全部又は主要部（図２では主要部）を覆って、絶縁性片口金内の粉末状の無機絶縁性部材３の密封性を高めている。無機被覆材５は、ランプ本体１の起立固定の補強機能を備えている。
【００１２】
メタルハライドランプＬの製造方法について説明する。
ランプ本体１の導電線１６，１７を絶縁性片口金２の端子ピン１８，１９内に差し入れてから、絶縁性片口金の対向する内壁２ｃと外管６の固定端部６ａとの間の隙間に固定用無機接着剤４を充填してランプ本体１の起立状態を固定する。
ついで、絶縁性片口金２内に無機絶縁性部材３を振動させながら詰め込む。そして無機絶縁性部材３を絶縁性片口金２内に密に入れた後、無機絶縁性部材の上面を押さえつつ無機被覆材５で覆い、絶縁性片口金２の開口部の全てを完全に覆い、この開口部を密封する。
製造工程では、無機絶縁性部材３は粉末状であるから、この無機絶縁性部材を乾燥させる作業が不要である。
【００１３】
メタルハライドランプＬの使用方法について説明する。
図５に示すように、ランプ本体１の端子ピン１８，１９をソケット２１に差し入れて、フック２２でランプ本体を挟むことによりソケットとの結合は補強される。この状態でソケット２１をインバータ２５に接続してランプ本体１に電流を供給することにより、発光管７内で放電がされ、発光（点灯）される。
消灯後に、直ちにスイッチを入れて、高熱高温度状態にあるランプ本体１に電流を供給しても点灯が可能となる。
【００１４】
ランプ本体１はソケット２１の引き出し線２３，２４を通じて瞬時点灯用の回路が組み込まれているインバータ２５に接続されているので、従来例のような予熱ヒーターが不要となり、かつ回路構成によっては電源電圧に高電圧を印加しても瞬時点灯が可能になる。
このため、この発明に係るメタルハライドランプにおいて、その消費電力が２０Ｗに限られず、１００Ｗ以上のものにも適用できる。
無機絶縁性部材３は、図１〜図３に示すように、絶縁性片口金２内に開けられているすべての空間（空洞）を埋めた状態で詰め込まれているので、絶縁性片口金に露出されている導電線１６，１７の下端部分（露出部分１６ａ，１７ａ）のシールが確実になり、絶縁性が高められ、そしてランプ本体１の支持の補強が強化される利点がある。メタルハライドランプＬの製造工程において、無機絶縁性部材３は粉末状であるから、絶縁性片口金２内への充填が液状のものと比較して容易であり、この無機絶縁性部材を乾燥させる作業が不要となるから迅速な製造が可能となる。無機絶縁性部材３は粉末状であればアルミナ粉末に限定されないが、このアルミナ粉末によれば耐熱性が高いので製品の長寿命化に寄与する。
無機被覆材５は、図２鎖線及び図５実線に示すように絶縁性片口金２の開口部を越えて絶縁性片口金の上端面の全部又は主要部（図では主要部）を覆うことにより絶縁性片口金内の粉末状の無機絶縁性部材３の密封性を高め、絶縁性片口金と外管６の固定端部６ａとの一体化が強化される。
第１及び第２の導電性金属線１２，１３の接続端子部として、図示の例では独立部材である導電板１４，１５及び導電線１６，１７で構成しているが、独立部材に代えて導電性金属線を延長して構成するものであっても良い。
【図面の簡単な説明】
【００１５】
【図１】この発明に係るメタルハライドランプの一部切欠正面図である。
【図２】図１のＩＩ−ＩＩ線拡大断面図である。
【図３】図１のＩＩＩ−ＩＩＩ線拡大断面図である。
【図４】この発明に係るメタルハライドランプの一部切欠側面図である。
【図５】この発明に係るメタルハライドランプの使用状態を分解して示す一部切欠正面図である。
【符号の説明】
【００１６】
Ｌ                    メタルハライドランプ
１                    ランプ本体
２                    絶縁性片口金
２ａ                  係止凹部
２ｃ                  内壁
３                    無機絶縁性部材
４                    固定用無機接着剤
５                    無機被覆材
６                    外管
６ａ                  固定端部
７                    発光管
８，９                電極
１２                  第１の導電性金属線
１３                  第２の導電性金属線
１４，１５            導電板（接続端子部）
１６，１７            導電線（接続端子部）
１６ａ，１７ａ        露出部分
１８，１９            端子ピン
２１                  ソケット
２２                  フック
２３，２４            引き出し線
２５                  瞬時点灯用のインバータ（電子安定器）
【図１】
2009117187.tif 000003
【図２】
2009117187.tif 000004
【図３】
2009117187.tif 000005
【図４】
2009117187.tif 000006
【図５】
2009117187.tif 000007